(57)【要約】      （修正有）【課題】構造が簡単で、操作しやすく、日常に使う需要を満たすとともに、製造コストが著しく低減され、効率が大幅に改善される斜め付けＬＥＤライトを提供する。【解決手段】ランプホルダモジュール１、放熱部材２、ライトカバー３、光源板４および制限モジュールを含む斜め付けＬＥＤライトであって、放熱部材はランプホルダモジュールに回転可能に設置され、そして自身の軸を周りに回転する自由度を持っている。放熱部材のランプホルダモジュールから離れた端部には、放熱部材の軸と角度をなすように構成された傾斜面が設置される。ライトカバーは傾斜面に取付けられ、そして放熱部材との間に照明キャビティを形成する。光源板は放熱部材に固定的に取付けられ、且つ照明キャビティの内部に位置する。光源板はランプホルダモジュールに電気的に接続され、放熱部材には、対応するワイヤを通過させるための線通過用穴が開設される。【選択図】図１
0003227587.tif 000002
【実用新案登録請求の範囲】
【請求項１】
ランプホルダモジュールと、
回転可能に前記ランプホルダモジュールに設置され、且つ自身の軸を周りに回転する自由度を持っている放熱部材であって、前記放熱部材の前記ランプホルダモジュールから離れた端部には前記放熱部材の軸と角度をなすように構成された傾斜面が設置される、放熱部材と、
前記傾斜面に取り付けられ、且つ前記放熱部材との間に照明キャビティを形成する、ライトカバーと、
前記放熱部材に固定的に取り付けられ、且つ前記照明キャビティ内に位置する光源板であって、前記光源板は前記ランプホルダモジュールに電気的に接続されて、前記放熱部材には、対応するワイヤを通過させるための線通過用穴を開設される、光源板と、
前記ランプホルダモジュールと前記放熱部材との間に配置されて、前記放熱部材の回転角度を制限するために使用される制限モジュールと、を含むことを特徴とする斜め付けＬＥＤライト。
【請求項２】
前記ランプホルダモジュールは、ライトヘッド本体と、スリーブとを含み、
前記スリーブの一端は前記ライトヘッド本体に固定的に接続されて、他端は前記放熱部材と回転可能に接続されていることを特徴とする請求項１に記載の斜め付けＬＥＤライト。
【請求項３】
前記制限モジュールは、
前記スリーブの内側壁に設置される第１係止ブロックと、
前記放熱部材の外側壁に設置される第２係止ブロックであって、前記第２係止ブロックは前記第１係止ブロックの端面に当接されている第２係止ブロックと、を含み、
前記スリーブと前記放熱部材との間には、前記第１係止ブロックおよび前記第２係止ブロックを収納するための環状キャビティを形成することを特徴とする請求項２に記載の斜め付けＬＥＤライト。
【請求項４】
前記第１係止ブロックおよび前記第２係止ブロックの前記スリーブの軸方向に沿った垂直断面がともに矩形であることを特徴とする請求項３に記載の斜め付けＬＥＤライト。
【請求項５】
前記スリーブは締結用ネジによって前記放熱部材に接続され、前記スリーブの内部はフレーム構造であり、前記スリーブの中心に支柱が設置され、前記支柱には締結用ネジに合わせるネジ山が設置されることを特徴とする請求項２に記載の斜め付けＬＥＤライト。
【請求項６】
前記放熱部材は、プラスチック被覆アルミニウム構造を採用することを特徴とする請求項１に記載の斜め付けＬＥＤライト。
【請求項７】
前記放熱部材は前記ライトカバーに係合固定され、前記放熱部材の内壁に環状係合突起が設置され、前記ライトカバーには前記環状係合突起に合わせる環状係合溝が設置されることを特徴とする請求項１に記載の斜め付けＬＥＤライト。
【請求項８】
前記環状係合突起に複数の第１ノッチが均一に開設されていることを特徴とする請求項７に記載の斜め付けＬＥＤライト。
【請求項９】
前記放熱部材の内部には支持板が取り付けられ、前記支持板は前記光源板に垂直に配置され、且つ前記光源板の底面に当接されることを特徴とする請求項１に記載の斜め付けＬＥＤライト。
【請求項１０】
前記放熱部材には前記支持板に係合する制限係合溝が配置され、前記制限係合溝の入口端部には斜角ガイドが設置されることを特徴とする請求項９に記載の斜め付けＬＥＤライト。
【考案の詳細な説明】
【技術分野】
【０００１】
本考案は、照明装置の技術分野に属し、さらに具体的には、斜め付けＬＥＤライトに関する。
【背景技術】
【０００２】
ＬＥＤ技術の継続的な発展に伴い、ＬＥＤライトは、省エネ、長寿命、耐衝撃性により、日常生活でますます広く用いられている。従来のＬＥＤライトが使用される場合、一般にランプホルダーによって天井または壁面に固定され、ＬＥＤライトの光はライト本体の軸方向のみに沿って外部に放射でき、光の照射方向は単一である。照射方向を調整する必要がある場合は、ランプホルダーを再作成して取り付けるしかなく、ランプ自体の軸線と壁面との間に予め設定された角度とさせ、これにより、照射方向の変更を実現する。作成されたランプホルダーは互換性を持っておらず、そして、繰り返し着脱する必要があるため、製造コストが高すぎ、効率が低く、日常に使う需要を満たすことができない。
【考案の概要】
【考案が解決しようとする課題】
【０００３】
本考案は、従来のＬＥＤライトが照射方向を調整する場合、製造コストが高すぎ、効率が低く、日常に使う需要を満たすことができないという問題を解決しようとする斜め付けＬＥＤライトを提供することを目的とする。
【課題を解決するための手段】
【０００４】
上記目的を達成するために、本考案で採用された技術的解決手段は、
ランプホルダモジュールと、
回転可能に前記ランプホルダモジュールに設置され、且つ自身の軸を周りに回転する自由度を持っている放熱部材であって、前記放熱部材の前記ランプホルダモジュールから離れた端部には前記放熱部材の軸と角度をなすように構成された傾斜面が設置される放熱部材と、
前記傾斜面に取り付けられ、且つ前記放熱部材との間に照明キャビティを形成するライトカバーと、
前記放熱部材に固定的に取り付けられ、且つ前記照明キャビティ内に位置する光源板であって、前記光源板は前記ランプホルダモジュールに電気的に接続されて、前記放熱部材には対応してワイヤを通過させるための線通過用穴が開設される光源板と、
前記ランプホルダモジュールと前記放熱部材との間に設置されて、前記放熱部材の回転角度を制限するために使用される制限モジュールと、を含む、斜め付けＬＥＤライトを提供することである。
【０００５】
本考案の別の態様として、前記ランプホルダモジュールは、ライトヘッド本体と、スリーブとを含み、
前記スリーブの一端は前記ライトヘッド本体に固定的に接続されて、他端は前記放熱部材と回転可能に接続されている。
【０００６】
本考案の別の態様として、前記制限モジュールは、
前記スリーブの内側壁に設置される第１係止ブロックと、
前記放熱部材の外側壁に設置される第２係止ブロックであって、前記第２係止ブロックは前記第１係止ブロックの端面に当接されている第２係止ブロックと、を含み、
前記スリーブと前記放熱部材との間には、前記第１係止ブロックおよび前記第２係止ブロックを収納するための環状キャビティを形成する。
【０００７】
本考案の別の態様として、前記第１係止ブロックおよび前記第２係止ブロックの前記スリーブの軸方向に沿った垂直断面がともに矩形である。
【０００８】
本考案の別の態様として、前記スリーブは締結用ネジによって前記放熱部材に接続され、
前記スリーブの内部はフレーム構造であり、前記スリーブの中心に支柱が設置され、前記支柱には締結用ネジに合わせるネジ山が設置される。
【０００９】
本考案の別の態様として、前記放熱部材は、プラスチック被覆アルミニウム構造を採用する。
【００１０】
本考案の別の態様として、前記放熱部材は前記ライトカバーに係合固定され、前記放熱部材の内壁に環状係合突起が設置され、前記ライトカバーには前記係合突起に合わせる環状係合溝が設置される。
【００１１】
本考案の別の態様として、前記環状係合突起に複数の第１ノッチが均一に開設されている。
【００１２】
本考案の別の態様として、前記放熱部材の内部には支持板が取り付けられ、前記支持板は前記光源板に垂直に設置され、且つ前記光源板の底面に当接される。
【００１３】
本考案の別の態様として、前記放熱部材には前記支持板に係合する制限係合溝が設置され、前記制限係合溝の入口端部には斜角ガイドが設置される。
【考案の効果】
【００１４】
従来技術に比べると、本考案の斜め付けＬＥＤライトは、放熱部材はランプホルダモジュールに回転可能に設置され、そして自身の軸を周りに回転する自由度を持っている。放熱部材のランプホルダモジュールから離れた端部には、放熱部材の軸と角度をなすように構成された傾斜面が設置される。ライトカバーはこの傾斜面に取付けられる。光源板は放熱部材に固定され、且つランプホルダモジュールに電気的に接続され、放熱部材には、対応するワイヤを通過させるための線通過用穴が開設される。ライトカバーを傾斜面に取り付けることにより、ＬＥＤライトの照射方向はランプホルダモジュールの軸と一定の角度をなし、ＬＥＤ照射方向を調整する必要がある場合は、光源板およびライトカバーを取り付けていた放熱部材を軸に中心として回転させるだけで、照射方向を自由に変更でき、本考案の斜め付けＬＥＤライトは、構造が簡単で、操作しやすく、照射方向の調整過程にランプホルダモジュールを着脱する必要がないため、製造コストが著しく低減され、効率が大幅に改善されるとともに、正常の使用ニーズも満たす。放熱部材を回転すると同時に、放熱部材の過度回転によって線通過用穴から通したワイヤを損傷し、そして潜在的な安全性の問題になることを防止するように、制限モジュールによって放熱部材の回転角度を制限する。
【図面の簡単な説明】
【００１５】
本考案の実施例における技術的解決手段をより明確に説明するために、以下、実施例または従来技術における使用される図面を簡単に紹介し、明らかなことに、以下の説明における図面は、本考案のいくつかの実施例に過ぎず、当業者であれば、創造的な工夫をせずに、これらの図面に基づいて他の図面を得ることができる。
【００１６】
【図１】本考案の実施例１に係る斜め付けＬＥＤライトの分解構造を示す図である。
【図２】本考案の実施例１に係る斜め付けＬＥＤライトの正面構造を示す概略図である。
【図３】図２におけるＡ−Ａ線に沿う断面図である。
【図４】本考案の実施例１に係る放熱部材の立体構造を示す概略図１である。
【図５】図４の上面図である。
【図６】本考案の実施例１に係る放熱部材の立体構造を示す概略図２である。
【図７】本考案の実施例１に係るスリーブの立体構造を示す概略図である。
【図８】本考案の実施例１に係るライトカバーの断面図である。
【図９】本考案の実施例１に係る光源板の立体構造を示す概略図である。
【図１０】本考案の実施例２に係る制限モジュールの部分断面図である。
【考案を実施するための形態】
【００１７】
本考案が解決しようとする技術的課題、技術的解決手段および有益な効果をより明らかにするために、以下、図面および実施例に合わせて本考案をより詳細に説明する。ここで説明される具体的な実施例は本考案を解釈するためのものに過ぎず、本考案を限定するためのものではないことを理解されたい。
【００１８】
図１と図２に示すように、本考案に係る斜め付けＬＥＤライトを説明する。前記斜め付けＬＥＤライトは、ランプホルダモジュール１、放熱部材２、ライトカバー３、光源板４および制限モジュールを含む。放熱部材２はランプホルダモジュール１に回転可能に設置され、そして自身の軸を周りに回転する自由度を持っている。放熱部材２のランプホルダモジュール１から離れた端部には、放熱部材２の軸と角度をなすように構成された傾斜面２０１が設置される。ライトカバー３は傾斜面２０１に取付けられ、そして放熱部材２との間に照明キャビティを形成する。光源板４は放熱部材２に固定的に取付けられ、且つ照明キャビティの内部に位置する。光源板４はランプホルダモジュール１に電気的に接続され、放熱部材２には、対応するワイヤを通過させるための線通過用穴２０２が開設される。制限モジュールはランプホルダモジュール１と放熱部材２との間に配置され、放熱部材２の回転角度を制限するために使用される。
【００１９】
従来技術と比較して、本考案に係る斜め付けＬＥＤライトは、放熱部材２は回転可能にランプホルダモジュール１に設置され、そして放熱部材２は自身の軸の周りを回転する自由度を持っている。放熱部材２のランプホルダモジュール１から離れた端部には、放熱部材２の軸と角度をなすように構成された傾斜面２０１が設置される。ライトカバー３はこの傾斜面２０１に取付けられ、光源板４は放熱部材２に固定され、且つランプホルダモジュール１に電気的に接続され、放熱部材２には、対応するワイヤを通過させるための線通過用穴２０２が開設される。ライトカバー３を傾斜面２０１に取り付けることにより、ＬＥＤライトの照射方向はランプホルダモジュール１の軸と一定の角度をなし、ＬＥＤ照射方向を調整する必要がある場合、光源板４およびライトカバー３を取り付けていた放熱部材２が軸を中心として回転するだけで、照射方向を自由に変更でき、本考案の斜め付けＬＥＤライトは、構造が簡単で、操作しやすく、照射方向の調整過程にランプホルダモジュール１を着脱する必要がないため、、製造コストが著しく低減され、効率が大幅に改善されるとともに、日常に使う需要も満たす。放熱部材２を回転すると同時に、放熱部材２の過度回転によって線通過用穴２０２から通したワイヤを損傷し、そして潜在的な安全性の問題になることを防止するように、制限モジュールによって放熱部材２の回転角度を制限する。
【００２０】
本実施例では、線通過用穴２０２は丸穴、または長丸穴を採用してもよい。長丸穴の中心線は、直線または円弧であってもよい。
【００２１】
本考案に係る斜め付けＬＥＤライトの具体的な実施形態として、図１から図２に示すように、ランプホルダモジュール１は、ライトヘッド本体１０１およびスリーブ１０２を含む。スリーブ１０２の一端はライトヘッド本体１０１に固定的に接続され、他端は放熱部材２と回転可能に接続されている。本実施例では、ライトヘッド本体１０１は汎用性の高い従来形態のライトヘッドを採用している。スリーブ１０２はプラスチック製であり、製造コストを削減するためである一方、プラスチックは絶縁材料であるため、ＬＥＤライトを操作する際に作業者にとってより安全である。スリーブ１０２はライトヘッド本体１０１にプラグイン方式で接続され、スリーブ１０２の外壁はライトヘッド本体１０１の内壁と中間嵌めによって嵌合し、スリーブ１０２およびライトヘッド本体１０１の接合強度を保証するために、スリーブ１０２とライトヘッド本体１０１の接続部に嫌気性接着剤を塗布してもよく、嫌気性接着剤は、一定のシールの役割も果たし、外部の気体やほこりがライト本体の内部に侵入して照明効果および寿命に影響を与えることを防ぐ。
【００２２】
本考案の実施例の具体的な一実施形態として、放熱部材２はプラスチック被覆アルミニウム構造を採用する。アルミニウムは最も優れた放熱材であるが、アルミニウム製品は高価で使用頻度が低く、製造プロセス自体が大幅に制限されている。プラスチック自体は絶縁体であり、そして優れた放熱性を持ち、値段が低く、しかしながら、金属と比べると、放熱性はやや劣る。プラスチック被覆アルミニウム構造は分離構造であり、外側はプラスチック材料で包まれており、内側はアルミニウムで熱伝導する。このように、２つの長所と短所を組み合わせることで、製品のパフォーマンス、熱伝導性が向上し、コストも制御される。高分子ポリマーＬＮＰプラスチック材料で制作された放熱部材２は、より高い耐久性と安全性を持ち、熱伝導率は最大２０００Ｗ／（ｍ＊Ｋ）であり、銅、アルミニウムなどの放熱製品を１０倍以上超える。
【００２３】
本考案の実施例の具体的な一実施形態として、図３に示すように、制限モジュールは、第１係止ブロック５０１および第２係止ブロック５０２を含む。第１係止ブロック５０１はスリーブ１０２の内側壁に設置され、第２係止ブロック５０２は放熱部材２の外側壁に設置され、第２係止ブロック５０２は第１係止ブロック５０１の端面に当接されており、スリーブ１０２と放熱部材２との間に第１係止ブロック５０１および第２係止ブロック５０２を収納するための環状キャビティ５０３が形成される。本実施例では、第１係止ブロック５０１と第２係止ブロック５０２はともにスリーブ１０２および放熱部材２によって形成された環状キャビティ５０３の内部に位置し、第２係止ブロック５０２は放熱部材２と連動し、環状キャビティ５０３の内部で回転し、第２係止ブロック５０２は予め設定された方向に沿って回転して第１係止ブロック５０１の端面に当接すると、放熱部材２が継続して回転できなくなり、これにより、放熱部材２の回転角度に対する制限の役割を果たす。第１係止ブロック５０１はスリーブ１０２と一体成形され、第２係止ブロック５０２は放熱部材２と一体成形される。一体成形された構造はより優れた性能と耐久性を備える。第１係止ブロック５０１と第２係止ブロック５０２の数は両方ともに１つである場合、照射角度は３６０°以内に変化できるが、第１係止ブロック５０１と第２係止ブロック５０２は一定の厚さを有しているため、放熱部材２の回転角度は３６０°を達成できず、回転角度を拡大するために、ランプホルダモジュール１の回転によって補助動作を実行してもよい。第１係止ブロック５０１および第２係止ブロック５０２がライト本体の内部に設置され、ライト本体の意匠性を改善する。
【００２４】
本考案の実施例の具体的な一実施形態として、図１０に示すように、第１係止ブロック５０１はスリーブ１０２の上面に固定的に取付けられ、放熱部材２の底面には、第１係止ブロック５０１と滑合する環状スライド溝５０４が設置され、第２係止ブロック５０２は環状スライド溝５０４に固定的に取付けられる。
【００２５】
本考案の実施例の具体的な一実施形態として、図３に示すように、第１係止ブロック５０１および第２係止ブロック５０２のスリーブ１０２の軸方向に沿った垂直断面はいずれも矩形である。本実施例では、第１係止ブロック５０１および第２係止ブロック５０２は、それぞれスリーブ１０２および放熱部材２と一体成形され、一体成形された構造はより優れた性能と耐久性を備える。第１係止ブロック５０１と第２係止ブロック５０２はスリーブ１０２の軸方向に沿った垂直断面は矩形に限定されず、三角形などの他の形状であってもよい。
【００２６】
本考案の実施例の具体的な一実施形態として、図１から図７に示すように、スリーブ１０２はネジによって放熱部材２に接続され、スリーブ１０２の内部はフレーム構造であり、スリーブ１０２の中心に支柱１０４が設置され、支柱１０４にはネジに合わせるネジ山が設置される。本実施例では、スリーブ１０２は放熱部材２に固定用ネジで接続され、構造が簡単で、操作しやすく、スリーブ１０２および放熱部材２が固定されるとともに、放熱部材２はネジの軸を中心として回転できる。スリーブ１０２の内部はフレーム構造を採用するのは、スリーブ１０２の構造強度を改善する一方、ワイヤの通過に便利である。スリーブ１０２の軸方向に沿って複数の支持リブ１０５が均一に配置され、支持リブ１０５の長手方向はスリーブ１０２の半径方向である。複数の支持リブ１０５は、支柱１０４に固定的に接続されている。支持リブ１０５と支柱１０４との間には一体成形された構造を採用してもよく、接着剤で固定するという方式を採用してもよい。
【００２７】
本考案の実施例の具体的な一実施形態として、図１、図４及び図８に示すように、放熱部材２とライトカバー３が係合固定され、放熱部材２の内壁には環状係合突起２０３が設置され、ライトカバー３には係合突起に合わせる環状係合溝３０１が設置される。本実施例では、環状係合溝３０１は、ライトカバー３の外壁に配置されている。放熱部材２とライトカバー３はともに一定の可撓性を備える材料を採用する。ライトカバー３を放熱部材２に向けて押圧して環状係合突起２０３および環状係合溝３０１をある程度変形させ、最後に環状係合突起２０３を環状係合溝３０１の内部に押圧し、ライトカバー３と放熱部材２との係合固定を実現する。放熱部材２およびライトカバー３は、環状係合突起２０３と環状係合溝３０１との係合固定方式を採用し、ネジを使用せず、部品の数が少なく、着脱が便利である。放熱部材２は環状係合突起２０３と環状係合溝３０１をライト本体の中に収容するため、ライト本体の意匠性が改善される。
【００２８】
本考案の実施例の具体的な一実施形態として、図４及び図５に示すように、環状係合突起２０３には複数の第１ノッチ２０４が均一に開設されている。本実施例では、第１ノッチ２０４の数は３つであるが、第１ノッチ２０４の数は３つに限定されるものではなく、実際の需要に応じて第１ノッチ２０４の数を決定してもよい。環状係合突起２０３には複数の第１ノッチ２０４が開設されるのは、環状係合突起２０３の変形抵抗を低減させ、ライトカバー３と放熱部材２の係合固定および着脱を容易にすることを目的とする。
【００２９】
本考案の実施例の具体的な一実施形態として、図１、図４及び図５に示すように、放熱部材２の内部には支持板６が取り付けられ、支持板６は光源板４に垂直に配置され、且つ支持板６は光源板４の底面に当接される。本実施例では、傾斜面２０１は、放熱部材２の端部に位置している。放熱部材２には取り付け溝２０５がさらに設置されており、光源板４は取り付け溝２０５の内部に位置し、取り付け溝２０５の底面は傾斜面２０１に平行している。光源板４は締結部材によって放熱部材２に固定されている。締結部材の数は複数であり、且つ光源板４を中心として対称的に配置されている。
【００３０】
本考案の実施例の具体的な一実施形態として、図１から図５に示すように、放熱部材２には支持板６に係合する制限係合溝２０６が設置され、制限係合溝２０６の入口端部には斜角ガイド２０７が設置される。本実施例では、制限係合溝２０６は、放熱部材２の内側壁に位置する。支持板６は放熱部材２の軸方向に沿って制限係合溝２０６に挿入され、制限係合溝２０６は支持板６に対して係止および固定の役割を果たす。制限係合溝２０６の入口端部で斜角ガイド２０７が設置されるのは、支持板６の迅速な取り付けを実現することを目的とする。
【００３１】
本考案の実施例の具体的な一実施形態として、図１、図４、図５及び図９に示すように、光源板４には第２ノッチ４０１が設置され、放熱部材２には、対応する第２ノッチ４０１に係合する凸部２０８が設置される。本実施例では、凸部２０８は取り付け溝２０５内に位置し、第２ノッチ４０１及び凸部２０８の嵌合によって光源板４の位置が大まかに決められる同時に、光源板４の軸を中心とする回転が制限される。光源板４を取り付けるプロセスにおいて、まずは第２ノッチ４０１が凸部２０８に位置を合わせた後、光源板４を取り付け溝２０５に設置し、最後に締結部材によって光源板４を放熱部材２に固定する。
【００３２】
上記は本考案の優れた実施例に過ぎず、本考案を制限するものではない。本考案の精神及び原則の内になされたあらゆる変更、等価物による置換及び改良等は、いずれも本考案の保護範囲内に含まれるはずである。
【符号の説明】
【００３３】
１  ランプホルダモジュール
１０１  ライトヘッド本体
１０２  スリーブ
１０４  支柱
１０５  支持リブ
２  放熱部材
２０１  傾斜面
２０２  線通過用穴
２０３  環状係合突起
２０４  第１ノッチ
２０５  取り付け溝
２０６  制限係合溝
２０７  斜角ガイド
２０８  凸部
３  ライトカバー
３０１  環状係合溝
４  光源板
４０１  第２ノッチ
５０１  第１係止ブロック
５０２  第２係止ブロック
５０３  環状キャビティ
５０４  環状スライド溝
６  支持板
【図１】
0003227587.tif 000003
【図２】
0003227587.tif 000004
【図３】
0003227587.tif 000005
【図４】
0003227587.tif 000006
【図５】
0003227587.tif 000007
【図６】
0003227587.tif 000008
【図７】
0003227587.tif 000009
【図８】
0003227587.tif 000010
【図９】
0003227587.tif 000011
【図１０】
0003227587.tif 000012